(57)【特許請求の範囲】
【請求項１】
シートクッションに対するシートバックの前後方向の傾斜角度を所定の角度範囲で調整する機能を有する角度調整機構と、前記シートバックを前記調整角度範囲を越えて前方へ倒伏させる機能を有する倒伏可動機構と、軸心を中心として互いに反する方向に回動し回動操作方向に応じて前記角度調整機構および前記倒伏可動機構を選択的に機能させる操作手段を備えるリクライニング装置であって、前記角度調整機構および前記倒伏可動機構は、前記シートバック側に取付られる可動ハウジングと前記シートクッション側に取付けられる固定ハウジングとを互いに重合状態に連結して形成された空間部内の隔壁が区画する各区画空間部内に配設してなるリクライニング装置であり、
前記角度調整機構は、前記両ハウジングの一方のハウジングの円形凹所の環状周壁部に設けた円弧状の内歯と、前記内歯に噛合可能で前記ハウジング側に設けたガイド溝に同内歯に対して進退可能に保持されたポールと、前記ポールを前記内歯側に押圧して噛合させるとともに動作時には同ポールに対する押圧を解除して同内歯に対する噛合状態を解除するスライドカムと、前記スライドカムと係合して同スライドカムを動作する回動カムを備え、
前記倒伏可動機構は、前記両ハウジングの他方のハウジングの円形凹所の環状周壁部に設けた円弧状の内歯と、前記内歯に噛合可能で前記ハウジング側に設けたガイド溝に同内歯に対して進退可能に保持されたポールと、前記ポールを前記内歯側に押圧して噛合させるとともに動作時には同ポールに対する押圧を解除して同内歯に対する噛合状態を解除するスライドカムと、前記スライドカムと係合して同スライドカムを動作する回動カムを備え、
前記角度調整機構および前記倒伏可動機構を構成する各構成部材は、前記操作手段である操作軸が嵌合する前記各回動カムの内孔形状を除き同一形状の部品であって、
前記各回動カムは前記隔壁を貫通して延びる前記操作軸に外嵌して同隔壁を挟んで互いに対向して位置し、前記操作軸が軸心を中心として互いに反する方向に回動した際回動操作方向に応じて同操作軸に選択的に係合するように配置され、
前記角度調整機構のその他の各構成部材と前記倒伏可動機構のその他の各構成部材とは、前記隔壁を挟んで互いに同じ向きで対向して配置されていることを特徴とするリクライニング装置。
【発明の詳細な説明】
【０００１】
【発明の属する技術分野】
本発明は、リクライニングシートを構成するためのリクライニング装置に関する。
【０００２】
【従来の技術】
リクライニング装置の一形式として、特開平１１−７００２８号公報に示されているように、シートクッションに対するシートバックの前後方向の傾斜角度を所定の角度範囲で調整する機能を有する角度調整機構と、シートバックを前記調整角度範囲を越えて前方へ倒伏させる機能を有する倒伏可動機構を備え、所望時には角度調整機構を作動して、シートクッションに対するシートバックの前後方向の傾斜角度を所定の角度範囲内で調整し、かつ、所望時には倒伏可動機構を作動して、シートバックを前方へ最大限傾動して倒伏状態とする形式のリクライニング装置がある。
【０００３】
【発明が解決しようとする課題】
当該形式のリクライニング装置においては、角度調整機構と倒伏可動機構を作動させるための専用の作動機構をそれぞれ備えていて、角度調整機構を作動させたい場合には、角度調整機構の専用の作動機構の操作手段（ハンドル、レバー）を操作して角度調整機構を機能させ、また、倒伏可動機構を作動させたい場合には、倒伏可動機構の専用の作動機構の操作手段（ハンドル、レバー）を操作して倒伏可動機構を機能させるように構成されている。
【０００４】
このため、当該形式のリクライニング装置においては、角度調整機構と倒伏可動機構を選択的に機能させたい場合には、互いに独立した作動機構の各操作手段を選択する必要があるが、特に不慣れな場合には操作手段を的確に選択することが難しく、しかも、これら操作手段が互いに離れて位置していることから、操作するのにも煩わしい。
【０００５】
従って、本発明の目的は、当該形式のリクライニング装置のごとく、角度調整機能および倒伏可動機能を適宜選択して機能させる場合、１つの操作手段で両機能を選択し得るように構成することにより、各機能を発揮させるための操作の的確性と操作の容易性を図ることにある。
【０００６】
【課題を解決するための手段】
本発明はリクライニング装置に関するもので、本発明が適用対象とするリクライニング装置は、シートクッションに対するシートバックの前後方向の傾斜角度を所定の角度範囲で調整する機能を有する角度調整機構と、前記シートバックを前記調整角度範囲を越えて前方へ倒伏させる機能を有する倒伏可動機構と、軸心を中心として互いに反する方向に回動し回動操作方向に応じて前記角度調整機構および前記倒伏可動機構を選択的に機能させる操作手段を備えるリクライニング装置である。
【０００７】
本発明に係るリクライニング装置は、上記した形式のリクライニング装置であって、前記角度調整機構および前記倒伏可動機構は、前記シートバック側に取付られる可動ハウジングと前記シートクッション側に取付けられる固定ハウジングとを互いに重合状態に連結して形成された空間部内の隔壁が区画する各区画空間部内に配設してなるものである。
【０００８】
しかして、本発明に係るリクライニング装置が装備する前記角度調整機構は、前記両ハウジングの一方のハウジングの円形凹所の環状周壁部に設けた円弧状の内歯と、前記内歯に噛合可能で前記ハウジング側に設けたガイド溝に同内歯に対して進退可能に保持されたポールと、前記ポールを前記内歯側に押圧して噛合させるとともに動作時には同ポールに対する押圧を解除して同内歯に対する噛合状態を解除するスライドカムと、前記スライドカムと係合して同スライドカムを動作する回動カムを備えるものである。
【０００９】
また、本発明に係るリクライニング装置が装備する前記倒伏可動機構は、前記両ハウジングの他方のハウジングの円形凹所の環状周壁部に設けた円弧状の内歯と、前記内歯に噛合可能で前記ハウジング側に設けたガイド溝に同内歯に対して進退可能に保持されたポールと、前記ポールを前記内歯側に押圧して噛合させるとともに動作時には同ポールに対する押圧を解除して同内歯に対する噛合状態を解除するスライドカムと、前記スライドカムと係合して同スライドカムを動作する回動カムを備えるものである。
【００１０】
本発明に係るリクライニング装置が装備する前記角度調整機構および前記倒伏可動機構を構成する各構成部材は、前記操作手段である操作軸が嵌合する前記各回動カムの内孔形状を除き、同一形状の部品である。
【００１１】
しかして、前記角度調整機構および前記倒伏可動機構を構成する前記各回動カムは、前記隔壁を貫通して延びる前記操作軸に外嵌して同隔壁を挟んで互いに対向して位置し、前記操作軸が軸心を中心として互いに反する方向に回動した際回動操作方向に応じて同操作軸に選択的に係合するように配置され、また、前記角度調整機構のその他の各構成部材と前記倒伏可動機構のその他の各構成部材とは、前記隔壁を挟んで互いに同じ向きで対向して配置されていることを特徴とするものである。
【００１２】
【発明の作用・効果】
本発明に係るリクライニング装置においては、同一の操作手段で角度調整機能および倒伏可動機能を選択的に発揮させることができるとともに、両機能の選択には操作手段の操作方向を選択することにより行うことができる。このため、両機能の選択時の操作手段の選択が容易であって、選択的操作を的確に行うことができる。
【００１３】
当該リクライニング装置は、具体的には、前記作動機構を、シートバックの前後方向の傾斜角度を所定の角度範囲で調整する機能を有する角度調整機構と、シートバックを調整角度範囲を越えて前方へ倒伏させる機能を有する倒伏可動機構にて形成するとともに、前記操作手段を、軸心を中心として互いに反する方向に回動し回動操作方向に応じて角度調整機構および倒伏可動機構に選択的に連結して動作する操作軸にて形成する構成を採ることができる。
【００１４】
この態様において、前記作動機構を、シートクッション側に取付けられる固定ハウジングとシートバック側に固定される可動ハウジングを互いに重合状態に連結して形成される空間部に配設するように構成し、固定ハウジングと前記可動ハウジングが形成する空間部には、同空間部を前記固定ハウジング側と前記可動ハウジング側に区画する隔壁を配設して、同隔壁に区画された各区画空間部に前記角度調整機構および前記倒伏可動機構をそれぞれ配設するように構成すれば、角度調整機能および倒伏可動機能の両機能を有するリクライニング装置をコンパクトに構成することができるとともに、装置の軽量化を図ることができる。
【００１５】
また、この態様においては、前記角度調整機構を、両ハウジングの一方のハウジングの円形凹所の環状周壁部に設けた円弧状の内歯と、内歯に噛合可能で同ハウジング側に設けたガイド溝に内歯に対して進退可能に保持されたポールと、ポールを内歯側に押圧して噛合させるとともに動作時にはポールに対する押圧を解除して内歯に対する噛合状態を解除する作動部材を備えた構成とすること、同様に、前記倒伏可動機構を、両ハウジングの他方のハウジングの円形凹所の環状周壁部に設けた円弧状の内歯と、内歯に噛合可能で同ハウジング側に設けたガイド溝に内歯に対して進退可能に保持されたポールと、ポールを内歯側に押圧して噛合させるとともに動作時にはポールに対する押圧を解除して内歯に対する噛合状態を解除する作動部材を備えた構成とすること、これら両機構の各作動部材を、操作手段である同一の操作軸に対して、同操作軸の回動操作方向に応じて選択的に係脱するように形成する構成とすることができる。
【００１６】
かかる構成によれば、角度調整機能および倒伏可動機能を的確に発揮し得るリクライニング装置を提供することができるとともに、シートバックの倒伏状態からの復帰時に、シートバックの倒伏直前のロック位置に自動的に復帰することができる機能、所謂、メモリー機能を付与することができる。
【００１７】
また、この態様において、前記角度調整機構および前記倒伏可動機構を構成する各作動部材として各ポールを進退動作させるカムを採用して、同カムを操作軸の外周に嵌合して、同操作軸の回動操作方向に応じて選択的に係脱するように構成することができる。これにより、角度調整機能および倒伏可動機能を的確に発揮させることができるとともに、角度調整機構および倒伏可動機構の両構成部品として、前記カムの前記操作軸を嵌合する内孔形状を除き、同一の部品を採用することができるという大きな利点があり、各構成部品の組付け性の向上を図ることができるとともに、コストの軽減を図ることができる。
【００１８】
【発明の実施の形態】
以下、本発明を図面に基づいて説明する。図１は本発明の一例に係るリクライニング装置の縦断面図、図２は当該リクライニング装置の図１の矢印２方向からみた一部省略正面図、図３は当該リクライニング装置を構成する角度調整機構の分解斜視図、図４は当該リクライニング装置を構成する倒伏可動機構の分解斜視図である。
【００１９】
当該リクライニング装置Ｒは、角度調整機構１０および倒伏可動機構２０を備えている。角度調整機構１０および倒伏可動機構２０は、一体となって本発明における作動機構を構成するもので、これら両機構１０，２０の主要構成部品の多くは、固定ハウジング１５および可動ハウジング２５が形成する空間部に配設されている。なお、当該リクライニング装置Ｒにおいては、角度調整機構１０および倒伏可動機構２０を構成する構成部品には、両機構１０，２０に共用されているものが複数種類あり、これら両機構１０，２０に共用されている構成部品については、便宜上、以下では３０番台の符号を付して説明する。
【００２０】
当該リクライニング装置Ｒを構成する角度調整機構１０は、一対のポール１１、スライドカム１２、回動カム１３、連結アーム１４、および可動ハウジング１５を備えるとともに、保持プレート３１および４個のガイドブロック３２を備えている。また、倒伏可動機構２０は、一対のポール２１、スライドカム２２、回動カム２３、スパイラルスプリング２４、および固定ハウジング２５を備えるとともに、保持プレート３１および４個のガイドブロック３２を備えている。さらに、これら両機構１０，２０は、共通部品であるセットプレート３３、および、操作軸３４および操作レバー３５を備えている。操作軸３４および操作レバー３５は、角度調整機構１０および倒伏可動機構２０の共通の操作機構を構成する
当該リクライニング装置Ｒにおいて、可動ハウジング１５と固定ハウジング２５は互いに対向して重合されていて、可動ハウジング１５側から嵌合されたセットプレート３３の外周縁部をかしめることにより、一体的に結合されている。ポール１１，２１、スライドカム１２，２２、回動カム１３，２３、連結アーム１４、スパイラルスプリング２４は、固定ハウジング１５と可動ハウジング２５が形成する空間部に収容された状態で、これらの構成部品の中央部を貫通する操作軸３４に直接的に、または構成部品を介して間接的に支持されている。操作軸３４の外端部には、操作レバー３５が取付けられている。
【００２１】
当該リクライニング装置Ｒにおいては、その可動ハウジング１５をシートバックの下端部に取付けられるアッパアームＡ1に組付けられ、かつ、その固定ハウジング２５をシートクッションの後端部に取付けられるロアアームＡ2に組付けられて、シートバックをシートクッションに前後方向へ回動可能に支持して、リクライニングシートを構成する。
【００２２】
当該リクライニング装置Ｒを構成する可動ハウジング１５は円盤状を呈するもので、図１〜図３に示すように、円盤状のハウジング本体１５ａの内側に段付きの円形凹所１５ｂを備え、円形凹所１５ｂの内側の小径の円環状部の内周に、円弧状の内歯１５ｃが所定の周間隔を保持して上下に一対形成されている。各内歯１５ｃを有するハウジング本体１５ａは、角度調整機構１０のラチェットを構成している。また、固定ハウジング２５は、可動ハウジング１５と同様に円盤状を呈するもので、図１、図２および図４に示すように、円盤状のハウジング本体２５ａの内側に段付きの円形凹所２５ｂを備え、円形凹所２５ｂの内側の小径の円環状部の内周に、円弧状の内歯２５ｃが所定の周間隔を保持して上下に一対形成されている。各内歯２５ｃを有するハウジング本体２５ａは、倒伏可動機構２０のラチェットを構成している。これらのハウジング１５，２５において、各ハウジング本体１５ａ，２５ａは、互いに重合された際に、ハウジング本体２５ａがハウジング本体１５ａの円形凹所１５ｂの開口部に丁度嵌合する寸法に形成されている。
【００２３】
保持プレート３１は、所定厚みの円板状のプレートであって、本発明における隔壁として機能するもので、可動ハウジング１５と固定ハウジング２５が重合して形成する空間部を、可動ハウジング１５側と固定ハウジング２５側に区画すべく機能する。保持プレート３１は、円板状のプレート本体３１ａの中央部に大径の円形穴３１ｂを有するとともに、円形穴３１ｂの外周側の同一円周上に、扇形状に貫通する嵌合穴３１ｃが４個所定の周間隔を保持して形成されている。
【００２４】
各ガイドブロック３２は、保持プレート３１の厚みより数倍の厚みを有するもので、各嵌合穴３１ｃに類似する扇形状に形成されており、各嵌合穴３１ｃに嵌着されてプレート本体３１ａを貫通している。各ガイドブロック３２は、保持プレート３１が両ハウジング１５，２５に挟持されて両ハウジング１５，２５が形成する空間内に配置された状態では、一端が可動ハウジング１５側に突出して同ハウジング１５の円形凹所１５ｂの奥壁に当接し、かつ、他端が固定ハウジング２５側に突出して同ハウジング２５の円形凹所２５ｂの奥壁に当接している。
【００２５】
この状態で、各ガイドブロック３２は、固定ハウジング１５側および可動ハウジング側２５に、保持プレート３１の円形穴３１ｂを中心とする十字状のガイド溝を形成しており、可動ハウジング１５側のガイド溝には、角度調整機構１０を構成するポール１１およびスライドカム１２が嵌合し、かつ、固定ハウジング２５側のガイド溝には、倒伏可動機構２０を構成するポール２１およびスライドカム２２が嵌合している。
【００２６】
ポール１１，２１は門形形状を呈するもので、先端側に外歯１１ａ，２１ａを有するとともに、外歯１１ａ，２１ａとは反対側の後端（組付けた状態では径内方側）に左右一対の脚部１１ｂ，２１ｂを備えていて、脚部１１ｂ，２１ｂの一方に、他方の脚部１１ｂ，２１ｂ側へ突出する係合突起部１１ｃ，２１ｃが形成されている。ポール１１，２１の外歯１１ａ，２１ａは、各ハウジング１５，２５の内歯１５ｃ，２５ｃに噛合可能に構成されている。
【００２７】
スライドカム１２，２２は、長方形状のプレート本体１２ａ，２２ａの上下の縁部の中央部に係合突起部１２ｂ，２２ｂを備えるとともに、係合突起部１２ｂ，２２ｂを挟んで左右の部位に凹凸状の受承カム部１２ｃ，２２ｃを備えている。また、プレート本体１２ａ，２２ａの中央部には、後述する回動カム１３，２３が嵌合する嵌合穴１２ｄ，２２ｄを備えている。各嵌合穴１２ｄ，２２ｄは、横長の略楕円形状を呈するもので、穴部の外周から突出する一対の係合溝部１２ｄ1，１２ｄ2、２２ｄ1，２２ｄ2を備えており、各係合溝部１２ｄ1，１２ｄ2、および、各係合溝２２ｄ1，２２ｄ2は互いに１８０度偏倚して位置している。スライドカム１２，２２は、各ハウジング１５，２５側のガイド溝における十字状に交差する交差部に、横方向へスライド可能に嵌合される。
【００２８】
各ポール１１，２１は、各スライドカム１２，２２を挟んで、各ガイド溝における交差部の上下の部位に上下方向へスライド可能に嵌合されて、各脚部１１ｃ，２１ｃにて、各スライドカム１２，２２の各受承カム部１２ｃ，２２ｃに受承される。各ポール１１，２１は、この組付け状態においては、係合突起部１１ｃ，２１ｃをスライドカム１２，２２の係合突起部１２ｂ，２２ｂに対向して係合し得る位置にある。
【００２９】
回動カム１３，２３は、特に図５に拡大して示すように、円筒状の筒部１３ａ，２３ａと、筒部１３ａ，２３ａ外周側に形成された係合アーム部１３ｂ，２３ｂにて構成されている。両筒部１３ａ，２３ａの内孔１３ｃ，２３ｃは、互いに同軸的に対向する円形孔１３ｃ1，２３ｃ1を主体とするもので、円形孔１３ｃ1，２３ｃ1の外周に所定幅で所定長さの円弧状の係合溝１３ｃ2，２３ｃ2を備えている。係合溝１３ｃ2，２３ｃ2は、回動カム１３にあっては係合アーム部１３ｂに位置し、回動カム２３にあっては係合アーム部２３ｂとは略１８０度ずれた反対側に位置している。回動カム１３，２３は、操作軸３４の外周に遊嵌状態に嵌合されて支持される。
【００３０】
操作軸３４は、各回動カム１３，２３の内孔１３ｃ，２３ｃに類似する断面形状のもので、円柱部３４ａの外周に所定幅で所定長さの円弧状の係合突起部３４ｂを備えている。操作軸３４の係合突起部３４ｂは、回動カム１３，２３の内孔１３ｃ，２３ｃの係合溝１３ｃ2，２３ｃ2より所定長さ短く形成されている。
【００３１】
操作軸３４は、両回動カム１３，２３の内孔１３ｃ，２３ｃを挿通していて、両回動カム１３，２３を遊嵌状態に支持しているが、各回動カム１３，２３は、この遊嵌状態では係合アーム部１３ｂ，２３ｂが互い略１８０度偏倚して位置して、各スライドカム１２，２２の嵌合穴１２ｄ，２２ｄに嵌合している。この嵌合状態においては、回動カム１３の係合アーム部１３ｂはスライドカム１２の一方の係合溝部１２ｄ1に位置し、かつ、回動カム２３の係合アーム部２３ｂはスライドカム２２の他方の係合溝部２２ｄ2に位置している。すなわち、両回動カム１３，２３の係合アーム部１３ｂ，２３ｂは、互いに１８０度偏倚した状態の係合溝部１２ｄ1，２２ｄ2に位置している。
【００３２】
スパイラルスプリング２４は所定の巻き数を有するもので、内端部２４ａは方形状に巻回されており、かつ、外端部２４ｂは外方へ突出している。内端部２４ａは、回動カム２３の円形状の筒部２３ｃの一端部の外周に丁度外嵌できるように形成され、かつ、外端部２４ｂは保持プレート３１の一部に掛止し得るように形成されている。連結アーム１４は、操作軸３４の外周に遊嵌状態の嵌合していて、図１に示すように、回動カム１３とスパイラルスプリング２４に連結している。連結アーム１４は、スパイラルスプリング２４の付勢力を回動カム１３に伝達する。従って、スパイラルスプリング２４は両回動カム１３，２３を、図２の図示反時計方向へ常時付勢している。
【００３３】
セットプレート３３は、環状のプレート本体３３ａの外周縁部に筒部３３ｂを備えているもので、固定ハウジング２５を可動ハウジング１５に重合した状態において、固定ハウジング２５側から可動ハウジング１５の外周側に嵌合し得る寸法に形成されている。セットプレート３３は、可動ハウジング１５および固定ハウジング２５に外嵌した状態で、図１に示すように、筒部３３ｂの先端部をかしめて、両ハウジング１５，２５を互いに結合するようになっている。
【００３４】
これらの各構成部品は、例えば下記の順序で組付けられて、図１および図２に示す構造のリクライニング装置Ｒを構成している。すなわち、固定ハウジング２５を貫通する操作軸３４上に、回動カム２３、スライドカム２２および両ポール２１、スパイラルスプリング２４、各ガイドブロック３２を嵌着した保持プレート３１、連結アーム１４を連結した回動カム１３、スライドカム１２および両ポール１１、可動ハウジング１５をこの順序で組付け、次いで、セットプレート３３を固定ハウジング２５側から可動ハウジング１５の外周に嵌合し、セットプレート３３の筒部３３ｂの先端部を図１に示すようにかしめる。これにより、リクライニング装置Ｒが組立てられる。
【００３５】
当該リクライニング装置Ｒにおいては、図１および図２に示すように、可動ハウジング１５がアッパアームＡ1に組付けられ、固定ハウジング２５がロアアームＡ2に組付けられるとともに、操作軸３４上に操作レバー３５、スパイラルスプリング３６が組付けられる。なお、ロアアームＡ2をシートクッションの後端部に組付け、かつ、アッパアームＡ1をシートバックの下端部に組付けることにより、リクライニングシートが構成される。
【００３６】
この組付け状態においては、スパイラルスプリング２４の内端部２４ａは回動カム２３の筒部２３ａの端部上に外嵌し、外端部２４ｂが連結プレート１４の先端に掛止されており、また、連結アーム１４がスパイラルスプリング２４を回動カム１３に連結している。
【００３７】
スライドカム１２は、保持プレート３１に嵌着された各ガイドブロック３２が形成する可動ハウジング１５側のガイド溝に、横方向へスライド可能に配置されて回動カム１３に外嵌し、各ポール１１は同ガイド溝内にて回動カム１３の上下の部位に半径方向へスライド可能に位置している。この状態では、図６に示すように、回動カム１３の係合アーム部１３ｂは、スライドカム１２の一方の係合溝１２ｄ1に嵌合している。また、回動カム１３は、スパイラルスプリング２４の付勢力により同図の図示反時計方向に付勢されていて、スライドカム１２を図示左方へ押動させている。
【００３８】
スライドカム２２は、保持プレート３１に嵌着された各ガイドブロック３２が形成する固定ハウジング２５側のガイド溝に、横方向へスライド可能に配置されて回動カム２３に外嵌し、各ポール２１は同ガイド溝内にて回動カム２３の上下の部位に半径方向へスライド可能に位置している。この状態では、図７に示すように、回動カム２３の係合アーム部２３ｂは、スライドカム２２の他方の係合溝２２ｄ2に嵌合している。また、回動カム２３は、スパイラルスプリング２４の付勢力により同図の図示時計方向に付勢されていて、スライドカム２２を図示左方へ押動させている。
【００３９】
また、この組付け状態においては、各ポール１１は、その両脚部１１ｂにてスライドカム１２の各受承カム部１２ｃに受承され、その係合突起部１１ｃがスライドカム１２の係合突起部１２ｂに離間した状態で対向している。スライドカム１２は、図示左方へスライドしていて、各ポール１１の各脚部１１ｂを各受承カム部１２ｃの凸部にて受承し、各ポール１１を前進させて可動ハウジング１５の内歯１５ｃの一部に噛合させている。なお、可動ハウジング１５の内歯１５ｃは、シートバックの前後方向の傾斜角度が所定の角度範囲にて調整し得るように、長尺に形成されている。
【００４０】
各ポール２１は、その両脚部２１ｂにてスライドカム２２の各受承カム部２２ｃに受承され、その係合突起部２１ｃがスライドカム２２の係合突起部２２ｂに離間した状態で対向している。スライドカム２２は、図示左方へスライドしていて、各ポール２１の各脚部２１ｂを各受承カム部２２ｃの凸部にて受承し、各ポール２１を前進させて固定ハウジング２５の内歯２５ｃに噛合させている。なお、固定ハウジング２５の内歯２５ｃは、シートバックの前後方向の傾斜角度の調整とは直接には関係なく、各ポール２１が無理なく噛合し得る短尺に形成されていて、内歯２５ｃの隣り合う部位は全てフリーゾーンとなっている。
【００４１】
次ぎに、当該リクライニング装置Ｒの作動について、図６〜図９に基づいて説明する。但し、図６は、角度調整機構１０におけるポール１１、スライドカム１２および回動カム１３と、操作レバー３５および操作軸３４との動作関係を示す正面視的説明図であって、非操作状態を示している。図７は、倒伏可動機構２０におけるポール２１、スライドカム２２および回動カム２３と、操作レバー３５および操作軸３４との動作関係を示す正面視的説明図であって、非操作状態を示している。図８は、角度調整機構１０の操作時における操作軸３４と各回動カム１３，２３との関係を説明するための模式図、図９は、倒伏可動機構２０の操作時における操作軸３４と各回動カム１３，２３との関係を示す正面視的説明図である。
【００４２】
当該リクライニング装置Ｒにおいては、操作レバー３５は非操作状態にある場合には中立位置にあって、角度調整機構１０におけるポール１１、スライドカム１２および回動カム１３は図６に示す状態にあり、かつ、倒伏可動機構２０におけるポール２１、スライドカム２２および回動カム２３は図７に示す状態にある。すなわち、角度調整機構１０のポール１１は可動ハウジング１５の内歯１５ｃに噛合し、かつ、倒伏可動機構２０にポール２１は固定ハウジング２５の内歯２５ｃに噛合していて、これらの噛合状態はブロック３２を嵌着した保持プレート３１を介して互いに連結されている。このため、可動ハウジング１５と固定ハウジング２５とはロック状態にあって、シートバックをシートクッションにロックしている。
【００４３】
また、操作レバー３５が非操作状態にある場合には、角度調整機構１０の回動カム１３と操作レバー３４の関係は、図８（ａ）および図９（ａ）に示す状態にあり、かつ、倒伏可動機構２０の回動カム２３と操作レバー３４との関係は、図８（ｃ）および図９（ｃ）に示す関係にある。すなわち、回動カム１３は操作軸３４の係合突起部３４ｂの右側端部に当接し、また、回動カム２３は操作軸３４の係合突起部３４ｂの左側端部に当接している。
【００４４】
当該リクライニング装置Ｒにおいて、シートバックのシートクッションに対する前後方向の傾斜角度を所望の傾斜角度に調整する場合には、操作レバー３５を図６に示す矢印６方向へ回動操作する。これにより、操作軸３４が図示時計方向へ所定量回転する。この場合、角度調整機構１０においては、操作軸３４はその係合突起部３４ｂを回動カム１３の係合溝部１３ｃ2に係合して、図８（ｂ）に示すように、回動カム１３を同方向へ所定量回動させる。これにより、スライドカム１２が図示右方へスライドして、その係合突起部１２ｂを各ポール１１の係合突起部１１ｃに係合させ、各ポール１１を半径方向の内方へ後退させて、スライドカム１２はその受承カム部１２ｃの凹所で各ポール１１の両脚部１１ｂを受承する。この結果、スライドカム１２は、各ポール１１の可動ハウジング１５の内歯１５ｃに対する噛合を解除してロック状態を解除させる。
【００４５】
この場合、倒伏可動機構２０においては、両回動カム１３，２３の係合溝部１３ｃ2，２３ｃ2が互いに偏倚しているため、操作軸３４は、図８（ｃ），（ｄ）に示すように、その係合突起部３４ｂを回動カム２３の係合溝部２３ｃ2には係合させるに至らず、回動カム２３を同方向へ回動させることはない。このため、各ポール２１の固定ハウジング２５の内歯２５ｃに対する噛合が保持され、ロック状態が保持されている。
【００４６】
角度調整機構１０のポール１１が非ロック状態にあって、倒伏可動機構２０のポール２１がロック状態を保持している場合は、可動ハウジング１５のみが他の構成部品とは異なって周方向に自由状態ある。すなわち、かかる状態では、可動ハウジング１５は固定ハウジング２５に対して同心的に回動可能であって、シートバックをシートクッションに対して前後方向へ回動させて、前後方向の傾斜角度を調整することができる。
【００４７】
また、可動ハウジング１５を固定ハウジング２５に対して所望量回動させて、シートバックのシートクッションに対する前後方向の傾斜角度を調整した後に、操作レバー３４の矢印６方向への回動操作を解除すれば、回動カム１３に対する回動作用が消失して、スパイラルスプリング２４の付勢力により、回動カム１３、操作軸３４および操作レバー３５が回動復帰する。これにより、スライドカム１３がスライド復帰してポール１１に対する係合を解除し、スライドカム１３は、ポール１１に対する後退方向への作用力を消失させ、同時に、受承カム部１２ｃの凸部による押圧作用にてポール１１を前進させて、ポール１１を可動ハウジング１５の内歯１５ｃの他の一部に噛合させる。これにより、ポール１１は可動ハウジング１５にロックされて、他の構成部品を介して、可動ハウジング１５を固定ハウジング２５にロック状態とする。
【００４８】
一方、当該リクライニング装置Ｒにおいて、シートバックを、角度調整機構１０による調整角度範囲を越えて前方へ倒伏させたい場合には、操作レバー３５を図７に示す矢印７方向へ回動操作する。これにより、操作軸３４が図示反時計方向へ所定量回転する。この場合、倒伏可動機構２０においては、操作軸３４はその係合突起部３４ｂを回動カム２３の係合溝部２３ｃ2に係合して、図９（ｄ）に示すように、回動カム２３を同方向へ所定量回動させる。これにより、スライドカム２２が図示右方へスライドして、その係合突起部２２ｂを各ポール２１の係合突起部２１ｃに係合させ、各ポール２１を半径方向の内方へ後退させて、スライドカム２２はその受承カム部２２ｃの凹所で各ポール２１の両脚部２１ｂを受承する。この結果、スライドカム２２は、各ポール２１の可動ハウジング２５の内歯２５ｃに対する噛合を解除してロック状態を解除させる。
【００４９】
この場合、角度調整機構１０においては、両回動カム１３，２３の係合溝部１３ｃ2，２３ｃ2が互いに偏倚しているため、操作軸３４は、図９（ａ），（ｂ）に示すように、その係合突起部３４ｂを回動カム１３の係合溝部１３ｃ2には係合させるに至らず、回動カム１３を同方向へ回動させることはない。このため、各ポール１１の可動ハウジング１５の内歯１５ｃに対する噛合が保持され、ロック状態が保持されている。
【００５０】
倒伏可動機構２０のポール２１が非ロック状態にあって、角度調整機構１０のポール１１がロック状態を保持している場合は、固定ハウジング２５のみが他の構成部品とは異なって周方向に自由状態ある。すなわち、かかる状態では、可動ハウジング１５は固定ハウジング２５に対して同心的に回動可能である。この場合、固定ハウジング２５の内歯２５ｃは、ポール２１が丁度噛合する程度の短尺に形成されていることから、ポール２１は可動ハウジング１５の回動により、直ちに、内歯２５ｃの形成されていないフリーゾーンに乗り上げて摺動することになる。
【００５１】
このため、可動ハウジング１５の前方への倒伏途中では、ポール２１の内歯２５ｃに対する噛合が解除状態に保持され、シートバックは設定された最大限まで前方に倒伏する。この間、角度調整機構１０のポール１１と可動ハウジング１５の内歯１５ｃとは、シートバックの倒伏操作の直前の噛合状態に保持されていることから、メモリー機構として機能する。
【００５２】
また、可動ハウジング１５を固定ハウジング２５に対して最大限前方へ回動してシートバックを前方へ倒伏させた後、シートバックを回動復帰させるには、前方へ倒伏状態にあるシートバックを持ち上げて後方へ回動させる。この場合、可動ハウジング１５は、角度調整機構１０のポール１１と内歯１５ｃとの噛合状態を保持したままで固定ハウジング２５に対して回動し、倒伏可動機構２０のポール２１が固定ハウジング２５の内歯２５ｃに噛合した時点で回動を停止され、シートバックは倒伏直前の状態に回動復帰する。
【００５３】
このように、当該リクライニング装置Ｒによれば、角度調整機構１０を機能させることにより、シートバックのシートクッションに対する前後方向の傾斜角度を所定の角度範囲内で調整することができるとともに、倒伏可動機構２０を機能させることにより、シートバックを設定された最大限まで前方へ倒伏させることができるものであって、さらには、下記のごとき種々の作用効果を奏するものである。
【００５４】
すなわち、当該リクライニング装置Ｒにおいては、同一の操作手段である操作レバー３５により、角度調整機構１０および倒伏可動機構２０を選択的に操作することができるとともに、両機構１０，２０の操作の選択には、操作レバー３５の回動操作方向を選択することにより行うことができる。このため、両機構１０，２０の選択時の選択が容易であって、その選択操作を的確に行うことができる。
【００５５】
また、当該リクライニング装置Ｒにおいては、シートクッション側に取付けられる固定ハウジング２５とシートバック側に固定される可動ハウジング１５を互いに重合状態に連結して形成される空間部であって、保持プレート３１にて区画されたそれぞれの区画空間部に角度調整機構１０および倒伏可動機構２０を収容して、装置をコンパクトに構成し、かつ、装置の軽量化を図っている。
【００５６】
また、当該リクライニング装置Ｒにおいては、角度調整機構１０を、可動ハウジング１５の円形凹所１５ｂの環状周壁部に設けた円弧状の内歯１５ｃと、内歯１５ｃに噛合可能で同ハウジング１５側に設けたガイド溝に内歯１５ｃに対して進退可能に保持されたポール１１と、ポール１１を内歯１５ｃ側に押圧して噛合させるとともに動作時にはポール１１に対する押圧を解除して内歯１５ｃに対する噛合状態を解除する作動部材（スライドカム１２および回動カム１３）を備えた構成としている。同様に、倒伏可動機構２０を、固定ハウジング２５の円形凹所２５ｂの環状周壁部に設けた円弧状の内歯２５ｃと、内歯２５ｃに噛合可能で同ハウジング２５側に設けたガイド溝に内歯２５ｃに対して進退可能に保持されたポール２１と、ポール２１を内歯２５ｃ側に押圧して噛合させるとともに動作時にはポール２１に対する押圧を解除して内歯２５ｃに対する噛合状態を解除する作動部材（スライドカム２２および回動カム２３）を備えた構成としている。
【００５７】
これにより、装置をコンパクトにかつ軽量に構成することができるが、さらには、角度調整機構１０のポール１１およびスライドカム１２を組み付けるためのガイド溝と、倒伏可動機構２０のポール２１およびスライドカム２２を組み付けるためのガイド溝を、共通の保持プレート３１とガイドブロック３２にて収容空間部に形成しているため、装置を一層コンパクトにかつ軽量に構成することができる。
【００５８】
かかる構成によれば、角度調整機能および倒伏可動機能を的確に発揮し得るリクライニング装置Ｒを提供することができるとともに、角度調整機構１０を、シートバックの倒伏状態からの復帰時にシートバックの倒伏直前のロック位置に自動的に復帰することができる機構、所謂、メモリー機構としても機能させることができ、メモリー機能を付与するための専用に部品を使用する必要がない。
【００５９】
また、かかる構成によれば、角度調整機構１０および倒伏可動機構２０を構成する各作動部材として各ポール１１，２２を進退動作させるスライドカム１２，１３、回動カム１３，２３を採用して、同カム１３，２３を操作軸３４の外周に嵌合して、操作軸３４の回動操作方向に応じて選択的に係脱するように構成している。これにより、角度調整機構１０および倒伏可動機構２０を的確に操作することができるとともに、これら両機構の構成部品として、回動カム１３，２３を除き、同一部品を採用することができるという大きな利点があり、各構成部品の組付け性に向上を図ることができるとともに、コストの軽減を図ることができる。
【図面の簡単な説明】
【図１】本発明の一例に係るリクライニング装置の縦断面図である。
【図２】同リクライニング装置を図１の矢印２方向からみた一部省略正面図である
【図３】同リクライニング装置を構成する角度調整機構の分解斜視図である。
【図４】同リクライニング装置を構成する倒伏可動機構の分解斜視図である。
【図５】同角度調整機構および倒伏可動機構を構成する各回動カムと操作軸との関係を示す斜視図である。
【図６】同角度調整機構の作動を説明するための一部省略正面図である。
【図７】同倒伏可動機構の作動を説明するための一部省略正面図である。
【図８】同角度調整機構の作動時の操作軸と各回動カムとの関係を説明するための模式図である。
【図９】同倒伏可動機構の作動時の操作軸と各回動カムとの関係を説明するための模式図である。
【符号の説明】
１０…角度調整機構、１１…ポール、１１ａ…外歯、１１ｂ…脚部、１１ｃ…係合突起部、１２…スライドカム、１２ａ…プレート本体、１２ｂ…係合突起部、１２ｃ…受承カム部、１２ｄ…嵌合穴、１２ｄ1，１２ｄ2…係合溝部、１３…回動カム、１３ａ…筒部、１３ｂ…係合アーム部、１３ｃ…内孔、１３ｃ1…円形孔部、１３ｃ2…係合溝部、１４…連結アーム、、１５…可動ハウジング、１５ａ…ハウジング本体、１５ｂ…円形凹所、１５ｃ…内歯、２０…倒伏可動機構、２１…ポール、２１ａ…外歯、２１ｂ…脚部、２１ｃ…係合突起部、２２…スライドカム、２２ａ…プレート本体、２２ｂ…係合突起部、２２ｃ…受承カム部、２２ｄ…嵌合穴、２２ｄ1，２２ｄ2…係合溝部、２３…回動カム、２３ａ…筒部、２３ｂ…係合アーム部、２３ｃ…内孔、２３ｃ1…円形孔部、２３ｃ2…係合溝部、２４…スパイラルスプリング、２４ａ…内端部、２４ｂ…外端部２５…固定ハウジング、２５ａ…ハウジング本体、２５ｂ…円形凹所、２５ｃ…内歯、３１…保持プレート、３１ａ…プレート本体、３１ｂ…円形穴、３１ｃ…嵌合穴、３２…ガイドブロック、３３…セットプレート、３３ａ…プレート本体、３３ｂ…筒部、３４…操作軸、３４ａ…円柱部、３４ｂ…係合突起部、３５…操作レバー、３６…スパイラルスプリング、Ｒ…リクライニング装置、Ａ1…アッパアーム、Ａ2…ロアアーム。
【図１】
0004622113.tif 000002
【図２】
0004622113.tif 000003
【図３】
0004622113.tif 000004
【図４】
0004622113.tif 000005
【図５】
0004622113.tif 000006
【図６】
0004622113.tif 000007
【図７】
0004622113.tif 000008
【図８】
0004622113.tif 000009
【図９】
0004622113.tif 000010